(57)【要約】【課題】内視鏡検査の種類や内視鏡検査室の形状大きさに応じて、内視鏡用架台のいずれの側面に内視鏡保持部を設置でき、かつ、内視鏡保持部の高さ位置調整が可能である内視鏡検査用架台装置が求められている。【解決手段】内視鏡検査に使用する機器を搭載または内蔵する内視鏡用架台１と、内視鏡を保持する内視鏡保持部３５と、内視鏡保持部を支持する支柱１１，２０と、内視鏡保持部を内視鏡用架台の周囲の所望の方向にアクセス可能となるように支柱を係止する支柱保持部材９とからなる内視鏡検査用架台装置。【選択図】      図１
2004248833.tif 000002
【特許請求の範囲】
【請求項１】
内視鏡検査に使用する機器を搭載または内蔵する内視鏡検査用架台装置において、
内視鏡を保持する内視鏡保持部と、
前記内視鏡保持部を支持する支持体と、
前記内視鏡検査用架台装置の周囲の所望の方向に前記内視鏡保持部がアクセス可能となるように前記支持体を係止する係止部と、
を備えたことを特徴とする内視鏡検査用架台装置。
【発明の詳細な説明】
【０００１】
【発明の属する技術分野】
本発明は、内視鏡検査に使用する内視鏡を保持すると共に、内視鏡を駆動制御する駆動制御機器、照明用の光源装置、及び内視鏡検査内容の記録機器等の各種内視鏡附帯機器を載置する複数の棚を有する内視鏡検査用架台装置に関する。
【０００２】
【従来の技術】
近年、生体やプラント等の内部を観察検査する医療用や工業用の内視鏡装置が用いられている。
【０００３】
この内視鏡装置は、生体やプラントの内部に挿入される挿入部と、その挿入部の基端に設けられ操作部からなっている。
【０００４】
前記挿入部は可撓性で、照明光を導光して挿入部先端に設けられた照明レンズから観察部位に照明光を投射するライトガイドファイバーと、前記照明光で照明された観察部位像を前記挿入部先端に設けられた対物レンズで取り込み導光するイメージガイドファイバーとが内蔵されている。
【０００５】
前記操作部は、前記ライトガイドファイバーを光源装置に接続するライトガイドコネクタ、前記イメージガイドファイバーに接続された接眼部、及び前記挿入部を操作する操作機構等を有している。
【０００６】
また、小型で、高画素の固体撮像素子の開発実用化により、前記挿入部の先端に固体撮像素子を配置し、その固体撮像素子を駆動制御すると共に、撮像生成された撮像画像から所定の映像信号を生成し、モニターに撮像映像を表示させる電子内視鏡も用いられている。
【０００７】
このような内視鏡により内視鏡検査を行う際には、内視鏡操作の効率向上と搬送を容易とするために、内視鏡を保持する内視鏡保持部と、前記光源装置、固体撮像素子の駆動制御と固体撮像素子で撮像した画像信号から所定の映像信号を生成するビデオプロセッサ装置、撮像生成された映像信号により撮像画面を表示するモニター、及び撮像生成された映像信号や検査観察情報を記録する各種記録機器等が収納載置される棚部を有する内視鏡検査用架台装置が用いられている。
【０００８】
この内視鏡検査用架台装置は、光源装置、ビデオプロセッサ装置、モニター、及び各種機器を搭載する棚部を有するカートやトロリー等の架台の一方側面に内視鏡保持具を備えたものが多用されている（特許文献１及び特許文献２参照）。
【０００９】
このような内視鏡検査用架台装置の具体的構成は、図６に示すように、内視鏡用架台７１には、光源装置７２、ビデオプロセッサ装置７３、及び図示しないモニター、各種記録機器であるＶＴＲ等の内視鏡による検査、処置に使用する各種附帯機器が搭載されている。この内視鏡用架台７１の一方の側面には、内視鏡７７を保持するための内視鏡保持部７４の支柱７５が支柱保持部材７６により固定されている。
【００１０】
つまり、内視鏡用架台７１の一方の側面に支柱保持部材７６で取れ付け固定された支柱７５の上端に設けられた内視鏡保持部７４に、内視鏡７７が保持され、内視鏡挿入部７８は、前記支柱７５と内視鏡用架台７１の一方の側面沿って垂れ下がるように保持されるようになっている。
【００１１】
【特許文献１】
特開平１０−２５８０１７号公報。
【００１２】
【特許文献２】
特開平１１−２９０２６２号公報。
【００１３】
【発明が解決しようとする課題】
従来の内視鏡検査用架台装置は、内視鏡用架台７１の一方の側面に内視鏡保持部７４が設けられている。
【００１４】
しかし、内視鏡検査を行う際の、内視鏡検査の種類や内視鏡検査室の形状大きさにより、内視鏡用架台７１に対して、内視鏡保持部７４の位置を変更する場合は、前記内視鏡用架台７１の一方の側面に支柱保持部材７６で取り付け固定されている支柱７５を取り外し、内視鏡用架台７１の他方の側面に支柱保持部材７６で支柱７５を取り付け固定し直す必要があった。
【００１５】
このように、内視鏡検査の種類や内視鏡検査室の形状や大きさに応じて、内視鏡用架台７１に設ける内視鏡保持部７４を移設する内視鏡検査用架台装置のレイアウト変更作業は煩雑となり、また、垂直方向に伸張している支柱７５の先端に内視鏡保持部７４が設けられているために、この支柱７５と内視鏡挿入部７８が接触しやすい課題があった。
【００１６】
本発明は、上記課題に鑑みなされたもので、内視鏡検査の種類や内視鏡検査室の形状大きさに応じて、内視鏡用架台のいずれの側面にも内視鏡保持部を設置でき、かつ、内視鏡保持部の高さ位置調整が可能であると共に、内視鏡保持部に保持された内視鏡の挿入部が内視鏡保持部の支柱に接触しにくい内視鏡検査用架台装置を提供することを目的としている。
【００１７】
【課題を解決するための手段】
本発明の内視鏡検査用架台装置は、内視鏡検査に使用する機器を搭載または内蔵する内視鏡検査用架台装置において、内視鏡を保持する内視鏡保持部と、前記内視鏡保持部を支持する支持体と、前記内視鏡検査用架台装置の周囲の所望の方向に前記内視鏡保持部がアクセス可能となるように前記支持体を係止する係止部と、を備えたことを特徴としている。
【００１８】
本発明の内視鏡検査用架台装置は、内視鏡を保持する内視鏡保持部を内視鏡検査用架台装置の周囲の所望の方向に変更及びアクセス可能となり、内視鏡検査の種類や内視鏡検査室の形状大きさに応じた内視鏡検査用架台装置のレイアウト変更が簡易に確実に実現できるようになった。
【００１９】
【発明の実施の形態】
以下、図面を参照して本発明の実施の形態について詳細に説明する。図１は本発明に係る内視鏡検査用架台装置の一実施形態の全体構成を示す斜視図、図２は本発明に係る内視鏡検査用架台装置の一実施形態の支柱保持部材を示す斜視図、図３は本発明に係る内視鏡検査用架台装置の一実施形態の内視鏡保持部を説明する断面図、図４は本発明に係る内視鏡検査用架台装置の一実施形態の内視鏡保持部のブラケットを示す斜視図である。
【００２０】
本発明に係る内視鏡検査用架台装置の一実施形態は、図１に示すように、内視鏡用架台１は、筐体１ａの内部に、光源装置２、ビデオプロセッサ装置３、図示しないモニターやＶＴＲ等の各種記録機器等の内視鏡附帯機器がそれぞれ収納載置されるようになっている。
【００２１】
前記内視鏡用架台１の筐体１ａの正面には、複数の開口４，５が設けられている。この開口４，５は、前記光源装置２のスコープ接続部６とビデオプロセッサ装置３のスコープ接続部７が露出するようになっている。この光源装置２のスコープ接続部６には、図示していない内視鏡装置の照明用スコープが接続され、ビデオプロセッサ装置３のスコープ接続部７には、図示していない内視鏡装置の固体撮像素子の駆動及び撮像信号用の信号ケーブルが接続されるようになっている。
【００２２】
また、前記筐体１ａの正面全面を開口させて、それぞれ載置されている内視鏡附帯機器の前面が露出するようにしても良い。
【００２３】
前記筐体ｌａの上面は、作業台として使用されるテーブル８が備えられている。このテーブル８の後端中央には、後述する支柱保持部材９により、第１の支柱１１の基端側が取付固定されている。
【００２４】
この第１の支柱１１は、略Ｌ字状に折り曲げて形成された水平部２３と垂直部３４からなり、この垂直部３４の基端が前記支柱保持部材９で前記テーブル８の後端中央に取付固定されるようになっている。
【００２５】
この支柱保持部材９は、支柱保持カバー１０で覆われている。この支柱保持カバー１０の頂部には、前記第１の支柱１１の垂直部３４が挿通される開口１２が設けられ、側面には前記第１の支柱１１の垂直部３４を締結する支柱レバー開口１４が設けられている。この支柱レバー開口１４に支柱レバー１３が挿着されるようになっている。
【００２６】
前記支柱保持部材９の構成は後述するが、前記第１の支柱１１の垂直部３４の基端は、支柱保持部材９に挟持され、支柱レバー１３により締結されるようになっている。
【００２７】
前記第１の支柱１１の水平部２３の先端には、第２の支柱２０の水平部２４の基端が挿着されるようになっており、この第１の支柱１１の水平部２３の先端に挿着された、第２の支柱２０の水平部２４は、ノブ２１で固定されるようになっている。
【００２８】
この第２の支柱２０は、略Ｌ状に折曲形成されて水平部２４と垂直部２２からなっており、垂直部２２の先端には、内視鏡保持部３５が取り付けられている。この内視鏡保持部３５は、ブラケット２５と、このブラケット２５に取付固定された内視鏡を保持するための第１保持部２６と第２保持部２７とからなっている。  次に、図２を用いて、前記支柱保持部材９について説明する。なお、この図２は、前記支柱保持部材９を覆っている支柱保持カバー１０を除去した状態を示している。
【００２９】
前記支柱保持部材９は、立方体の中央部の上下方向に、第１の支柱１１の垂直部３４が挿着貫通される貫通孔で形成された支柱保持部１６と、その支柱保持部１６の円弧の一部から前記立方体の一側面に対して上下方向に設けた溝部１７からなっている。
【００３０】
この支柱保持部材９の一方の側面から前記溝部１７に対して、前記支柱レバー１３が挿着される穴部１８が穿設され、この穴部１８に対向する溝部１７から他方の側面に対して、内面に雌ねじが形成されたネジ部１９が設けられている。
【００３１】
前記支持レバー１３は、略Ｌ字状に形成され、ハンドル部１３ａと、雄ネジ部１３ｂからなっている。この雄ネジ部１３ｂは、前記支柱保持部材９の穴部１８に挿着されて、ネジ部１９と螺合される。つまり、ハンドル部１３ａを回動させて雄ネジ部１３ｂとネジ部１９とが螺合し、溝部１７の幅と、支柱保持部１６の内径が狭くなり、この支柱保持部１６に挿着されている第１の支柱１１の垂直部３４を挟持保持させるようになっている。
【００３２】
前記支柱保持部材９の底面には、前記筐体１ａに支柱保持部材９を固定するための締結部材穴１５ａが設けられ、この締結部材穴１５ａと締結部材１５により前記支柱保持部材９は、筐体１ａに取付固定されている。
【００３３】
このような構成の支柱保持部材９を前記筐体１ａの最上面のテーブル８の後端中央部分に設ける。この支柱保持部材９の支柱レバー１３をゆるめた状態で、前記第１の支柱１１の垂直部３４の基端を前記支柱保持部材９の支柱保持部１６に挿着して、その第１の支柱１１の垂直部３４の基端が装着された後、前記支柱レバー１３を回動締結させて、前記支柱保持部１６で第１の支柱１１の垂直部３４を挟持固定する。
【００３４】
即ち、前記支柱レバー１３をゆるめた状態で、第１の支柱１１の高さ調整、図１に示す矢印Ａ方向の調整と、第１の支柱１１の水平部２３の水平方向調整、図１に示す矢印Ｂ方向の調整とが可能となる。
【００３５】
また、前記第１の支柱１１の水平部２３に、第２の支柱２０の水平部２４が挿着可能としているために、第１の支柱１１の水平部２３と第２の支柱２０の水平部２４とは、軸方向の長さ調整、図１に示す矢印Ｃ方向の調整が可能である。
【００３６】
つまり、第１の支柱１１と第２の支柱２０からなる支柱全体形状は略コの字状となり、支柱保持部材９の支柱レバー１３をゆるめたり、締め付けたりすることで、支柱の上下の高さ調整と、支柱の回転方向調整ができ、かつ、ノブ２１により第１の支柱１１の水平部２３と第２の支柱２０の水平部２４の長さ調整が可能となる。
【００３７】
次に、第２の支柱２０の垂直部２２の基端に設けられている内視鏡保持部３５のブラケット２５と第１の保持部２６及び第２の保持部２７の構造について図３と図４を用いて説明する。
【００３８】
前記ブラケット２５は、図４に示すように、中央部の平面部と、その平面部の左右側を若干折り曲げて形成した第１取付面３２と第２取付面３３と、中央部の平面部の背面中央に植設された雄ネジ部２８とからなる。
【００３９】
このブラケット２５の雄ネジ部２８には、図３に示すように、第２の支柱２０の垂直部２２に設けられているネジ挿通孔２９が挿通されるようになっている。
【００４０】
この第２の支柱２０の垂直部２２のネジ挿通孔２９に挿通された前記ブラケット２５の雄ネジ部２８には、ノブ３０が螺合され、このノブ３０により、前記ブラケット２５が第２の支柱２０の垂直部２２の基端に取付固定される。
【００４１】
前記ブラケット２５の第１取付面３２と第２取付面３３それぞれには、保持部取付穴３１ａ，３１ｂが設けられている。この第１取付面３２と第２取付面３３には、内視鏡を保持させる第１保持部２６と第２保持部２７がそれぞれが図示していないネジで前記保持部取付穴３１ａ，３１ｂに取付固定される。
【００４２】
即ち、内視鏡を保持する第１保持部２６と第２保持部２７を有するブラケット２５からなる内視鏡保持部３５は、第２の支柱２０の垂直部２２の基端にノブ３０で取付及び取り外し可能に設けられている。
【００４３】
また、前記ブラケット２５の第１取付面３２と第２取付面３３の表面に異なる色を着色すると、例えば、第１取付面３２を黄色、第２取付面３３を青色とすると、黄色に着色された第１取付面３２に設けられている第１保持部２６に内視鏡検査前の内視鏡を保持させ、青色に着色された第２取付面３３に設けられた第２保持部２７に内視鏡検査終了後の内視鏡を保持させるように、内視鏡の使用状態に応じて保持場所を変えることで、内視鏡の状態認識が可能となる。
【００４４】
以上説明したように、本発明の内視鏡検査用架台装置は、内視鏡用架台１の筐体１ａの正面から見て後端の中心線上に支柱保持部材９を設け、この支柱保持部材９に第１の支柱１１と第２の支柱２０からなる全体形状が略コの字状の支柱の一端を支持固定させると共に、その支柱保持部材９の支柱レバー１３により支柱の締結挟持をゆるめたり、締め付けたりすることで、支柱の高さと内視鏡用架台１の左右側面に回転調整アクセスが可能となり、かつ、第１の支柱１１と第２の支柱２０の軸方向の挿着位置調整により内視鏡保持部３５の位置調整も可能となる。
【００４５】
これにより、内視鏡保持部３５を内視鏡用架台１に対し、自由な位置に配置することができ、内視鏡検査の種類や内視鏡検査室の形状大きさに合わせた内視鏡用架台１への内視鏡のレイアウトが可能で、内視鏡検査の準備作業及び検査操作の効率を向上させることができる。
【００４６】
また、支柱保持部材９を内視鏡用架台１の後端に中心線上に設けたため、内視鏡用架台１の上面に設けられたテーブル８上での作業の邪魔にならず、テーブル８での作業効率が向上する。
【００４７】
また、内視鏡保持部３５は、第１の支柱１１の垂直部３４と離れて設けられ、且つ第１の支柱１１の水平部２３および第２の支柱２０の水平部２４よりも低い位置に保持されるため、第１の支柱１１の水平部２３および第２の支柱２０の水平部２４が作業者の邪魔にならない高さまで上げた場合でも、内視鏡保持部３５を適正な高さに保持することが出来る。
【００４８】
内視鏡保持部３５を適正な高さに設置した場合でも、内視鏡用架台１の上面に設けられたテーブル８での作業時に第１の支柱１１の水平部２３および第２の支柱２０の水平部２４が邪魔にならず作業が容易なる。
【００４９】
なお、第１の支柱１１と第２の支柱２０で全体形状が略コの字状としているが、アーチ状として、内視鏡保持部３５を上方から支持できる形状であればいかなる形状でも良い。
【００５０】
次に、本発明に係る内視鏡検査用架台装置の他の実施形態について、図５を用いて説明する。
【００５１】
内視鏡による検査において、検査作業効率を向上させるために、内視鏡保持装置、操作部、及び表示部を備えた内視鏡検査用架台装置が用いられる。
【００５２】
このように、内視鏡保持装置、操作部、及び表示部を備えた内視鏡検査用架台装置は、内視鏡検査の種類や内視鏡検査室の形状大きさにより、前述した内視鏡保持装置の配置位置、操作部の位置、及び表示部の位置を変更設定する必要がある。
【００５３】
この内視鏡保持装置、操作部、及び表示部の配置位置変更可能な内視鏡検査用架台装置は、図５に示すように、内視鏡用架台４１の筐体（収納体）４１ａの内部には、光源装置４２、ビデオプロセッサ装置４３、図示しないモニターやＶＴＲ等の各種記録機器等の内視鏡附帯機器がそれぞれ収納載置されるようになっている。
【００５４】
この内視鏡用架台４１の筐体４１ａの正面には、複数の開口部４４、４５が設けられている。この開口部４４，４５は、前記光源装置４２のスコープ接続部４６と、前記ビデオプロセッサ装置４３のスコープ接続部４７が露出するようになっている。この光源装置４２のスコープ接続部４６には、図示していない内視鏡装置の照明用スコープが接続され、ビデオプロセッサ装置４３のスコープ接続部７には、図示ていない内視鏡装置の固体撮像素子の駆動及び撮像信号用の信号ケーブルが接続されるようになっている。
【００５５】
前記筐体４１ａの上面は、作業台として使用されるテーブル４８が備えられている。このテーブル４８の後端中心部には、支柱４９が取付固定されている。  この支柱４９には、操作部保持部材５０が取付固定されている。この操作部保持部材５０は、前述の支柱保持部材９と同じ構造と構成を有しており、操作部レバー５１により、前記支柱４９に締結されている。つまり、操作部レバー５１をゆるめると操作部保持部材５０は、支柱４９の軸方向の摺動でき、及び軸方向を中心に回転摺動が可能となる。
【００５６】
この操作部保持部材５０の先端側には、操作部５２がトルクヒンジ６２によって、上下後方に回動可能に取付固定されている。
【００５７】
この操作部５２は、内視鏡検査に際して、内視鏡検査対象の情報や検査日時等の検査情報を入力するためのキーボードやタッチパネルなどである。
【００５８】
つまり、操作部５２を用いて内視鏡検査情報を入力する際に、操作部５２をトルクヒンジ６２を中心に上下方向に回動させ、かつ、操作部レバー５１をゆるめて、支柱４９の軸方向、又は支柱４９を中心に回動させて、操作部５２からの内視鏡検査情報入力が最も容易な位置に調整した後、前記操作部レバー５１を締め付けて、前記操作部保持部材５０を固定させる。
【００５９】
次に、前記支柱４９には、表示部保持部材５３が取付固定されている。この表示部保持部材５３は、前述の支柱保持部材９と同じ構造と構成を有しており、表示部レバー５４により、前記支柱４９に締結されている。つまり、表示部レバー５４をゆるめると表示部保持部材５３は、支柱４９の軸方向に摺動でき、及び軸方向を中心に回転摺動が可能となる。
【００６０】
この表示部保持部材５３の先端側には、表示部５５がトルクヒンジ６３によって、上下後方に回動可能に取付固定されている。
【００６１】
この表示部５５は、内視鏡検査に際して、内視鏡の挿入部の先端に設けられている固体撮像素子により撮像生成した撮像画像信号を前記ビデオプロセッサ装置４３で信号処理して生成した所定の映像信号の基で、内視鏡映像を再生表示するためのモニターである。
【００６２】
つまり、表示部５５に表示される内視鏡映像を基に観察部位の検査を行う際に、表示部５５をトルクヒンジ６２を中心に上下方向に回動させ、かつ、表示部レバー５４をゆるめて、支柱４９の軸方向、又は支柱４９を中心に回動させて、表示部５５に再生表示されている内視鏡検査映像の最も見やすい位置に調整した後、前記表示部レバー５４を締め付けて、前記表示部保持部材５３を固定させる。
【００６３】
次に、前記支柱４９の上部には、ハンガー支柱保持部材５６が取付固定されている。このハンガー支柱保持部材５６は、前述の支柱保持部材９と同じ構造と構成を有しており、ハンガー支柱レバー５８により、ハンガー支柱５７が締結されている。つまり、ハンガー支柱レバー５８をゆるめるとハンガー支柱保持部材５６は、ハンガー支柱５７を軸方向に摺動でき、及び軸方向を中心に回転摺動が可能となる。
【００６４】
このハンガー支柱５７の先端側には、前述した内視鏡保持部３５が取付固定されている。
【００６５】
つまり、内視鏡保持部３５は、ハンガー支柱レバー５８をゆるめて、ハンガー支柱５７の軸方向、又はハンガー支柱５７の軸方向を中心に回動させて、内視鏡保持部３５を内視鏡検査用架台４１の左右いずれの方向に変更調整し、前記ハンガー支持レバー５８を締め付けると、所望の位置に内視鏡保持部３５を設定できる。
【００６６】
即ち、内視鏡用架台４１の筐体４１ａの上面のテーブル４８の正面から見て、後端からの中心線上に支柱４９を植設し、その支柱４９に操作部５２、表示部５５、及びハンガー支柱５７がそれぞれ支柱保持部材５０，５３，５６で取り付けられており、それぞれの支柱保持部材５０，５３，５６のレバー５１，５４，５８により、操作部５２，表示部５５，及びハンガー支柱５７が上下動及び回動可能となっている。
【００６７】
これにより、操作部５２、表示部５５、およびハンガー支柱５７の先端に設けられている内視鏡保持部３５は、内視鏡検査の種類や内視鏡検査室の形状大きさに応じて、内視鏡検査操作のしやすい位置に容易に設置でき、内視鏡検査準備作業の効率を向上させることができる。
【００６８】
［付記］
以上詳述した本発明の実施形態によれば、以下のごとき構成を得ることができる。
【００６９】
（付記１）  内視鏡検査に使用する機器を搭載または内蔵する内視鏡検査用架台装置において、
内視鏡を保持する内視鏡保持部と、
前記内視鏡保持部を支持する支持体と、
前記内視鏡検査用架台装置の周囲の所望の方向に前記内視鏡保持部がアクセス可能となるように前記支持体を係止する係止部と、
を備えたことを特徴とする内視鏡検査用架台装置。
【００７０】
（付記２）  内視鏡を保持する内視鏡保持部を備え、内視鏡検査に使用する機器を搭載する内視鏡検査用架台装置において、
該内視鏡保持部を支持する支持体を該内視鏡検査用架台装置の正面から見た中心線近傍に設置したことを特徴とする内視鏡検査用架台装置。
【００７１】
（付記３）  前記支持体を前記内視鏡検査用架台装置に対し、上下方向に摺動可能に設置したことを特徴とする付記２記載の内視鏡検査用架台装置。
【００７２】
（付記４）  前記支持体を前記内視鏡検査用架台装置に対し、回動可能に設置したことを特徴とする付記２記載の内視鏡検査用架台装置。
【００７３】
（付記５）  前記支持体を前記内視鏡検査用架台装置に対し、前後方向に摺動可能に設置したことを特徴とする付記２記載の内視鏡検査用架台装置。
【００７４】
（付記６）  前記支持体を前記内視鏡検査用架台装置の後方中央に設置すると共に、前記内視鏡保持部を上方から延伸する前記支持体により支持したことを特徴とする付記２記載の内視鏡検査用架台装置。
【００７５】
（付記７）  前記支持体の形状をコの字状にしたことを特徴とする付記６記載の内視鏡検査用架台装置。
【００７６】
（付記８）  前記支持体の形状をアーチ状にしたことを特徴とする付記６記載の内視鏡検査用架台装置。
【００７７】
（付記９）  内視鏡を保持する内視鏡保持部において、内視鏡保持部を二つ以上設け、各々の内視鏡保持部の機能を分けたことを特徴とする内視鏡保持部。
【００７８】
（付記１０）  前記内視鏡保持部において、前記内視鏡保持部の色を分けたことを特徴とする付記９記載の内視鏡保持部。
【００７９】
（付記１１）  前記内視鏡保持部において、前記内視鏡保持部を固定するための保持部材を色分けしたことを特徴とする内視鏡保持部。
【００８０】
（付記１２）  前記内視鏡保持部において、前記内視鏡保持部の各々の形状を変えたことを特徴とする内視鏡保持部。
【００８１】
（付記１３）  内視鏡を保持する内視鏡保持部を備え、内視鏡検査に使用する機器を搭載する内視鏡検査用架台装置において、
付記９記載の内視鏡保持部を備えたことを特徴とする内視鏡検査用架台装置。
【００８２】
（付記１４）  内視鏡検査に使用する複数の周辺機器を操作する操作部、画像等を表示するための表示部、内視鏡を保持する内視鏡保持部を備えた内視鏡検査用架台装置において、
前記操作部、表示部、内視鏡保持部の二つ以上を一つの支持体により支えたことを特徴とする内視鏡検査用架台装置。
【００８３】
（付記１５）  前記操作部、表示部、内視鏡保持部を前記支持体に対して、回動可能に保持したことを特徴とする付記１４記載の内視鏡検査用架台装置。
【００８４】
（付記１６）  前記操作部、表示部、内視鏡保持部を前記支持体に対して、上下方向に摺動可能に保持したことを特徴とする付記１４記載の内視鏡検査用架台装置。
【００８５】
【発明の効果】
本発明の内視鏡検査用架台装置は、内視鏡用架台の周辺に内視鏡保持部の高さと位置を自由に設定でき、内視鏡検査の種類や内視鏡検査室の形状や大きさに応じて、内視鏡検査の操作が最も良好な位置に内視鏡保持部が設定でき、内視鏡検査の準備作業の効率が向上すると共に、内視鏡検査の操作効率も向上する効果を有している。
【図面の簡単な説明】
【図１】本発明に係る内視鏡検査用架台装置の一実施形態の全体構成を示す斜視図。
【図２】本発明に係る内視鏡検査用架台装置の一実施形態の支柱保持部材を示す斜視図。
【図３】本発明に係る内視鏡検査用架台装置の一実施形態の内視鏡保持部を説明する断面図。
【図４】本発明に係る内視鏡検査用架台装置の一実施形態の内視鏡保持部のブラケットを示す斜視図。
【図５】本発明に係る内視鏡検査用架台装置の他の実施形態の全体構成を示す平面図。
【図６】従来の内視鏡検査用架台装置の全体構成を示す斜視図。
【符号の説明】
１…内視鏡用架台
８…テーブル
９…支柱保持部材
１０…支柱保持カバー
１１…第１の支柱
１３…支柱レバー
２０…第２の支柱
２５…ブラケット
２６…第１保持部
２７…第２保持部
【図１】
2004248833.tif 000003
【図２】
2004248833.tif 000004
【図３】
2004248833.tif 000005
【図４】
2004248833.tif 000006
【図５】
2004248833.tif 000007
【図６】
2004248833.tif 000008